(57)【要約】【課題】コネクタを嵌合した電気電子部品を電気接続箱のケース本体に収容する工程でコネクタの嵌合を検知し、かつ、コネクタに接続した電線の噛み込み発生を無くす。【解決手段】電気接続箱のケース本体の上下開口の収容部内に上方から電気電子部品が挿入固定され、該電気電子部品のハウジングの底面のコネクタ嵌合部に電線を接続したコネクタが嵌合されている車載用の電気接続箱であって、前記電気電子部品は電線の配線方向と平行方向または直交方向から前記ハウジング外面に移動させて固定する係止手段を有するコネクカバーを備え、前記コネクタカバーは半嵌合位置の前記コネクタと接すると、前記係止手段でハウジング外面に係止できない検知突起と、該検知突起の下部に前記コネクタに接続した電線を挟む電線ガイド突起を備えている。【選択図】図５
2018206540.tif 000002
【特許請求の範囲】
【請求項１】
電気接続箱のケース本体の上下開口の収容部内に上方から電気電子部品が挿入固定され、該電気電子部品のハウジングの底面のコネクタ嵌合部に電線を接続したコネクタが嵌合される車載用の電気接続箱であって、
前記電気電子部品は電線の配線方向と平行方向または直交方向から前記ハウジング外面に移動させて固定する係止手段を有するコネクタカバーを備え、
前記コネクタカバーは半嵌合位置の前記コネクタと接すると前記係止手段でハウジング外面に係止できない検知突起と、該検知突起の下部に前記コネクタに接続している電線を挟む電線ガイド突起を備えていることを特徴とする車載用の電気接続箱。
【請求項２】
前記電気電子部品の収容部を囲む壁の対向位置に受板部を突設しており、前記電気電子部品のハウジング内に収容する回路基板の脱落防止用としている請求項１に記載の車載用の電気接続箱。
【請求項３】
前記コネクタカバーは前記電気電子部品のハウンジグに対して、コネクタ嵌合方向の下方から該ハウンジグの裏面または表面に沿って電線配線方向と平行なスライドさせて取り付けるものとし、または前記電線配線方向と直交する方向から前記ハウンジグの裏面または表面に近接させて取り付けるものとしている請求項１または請求項２に記載の車載用の電気接続箱。
【請求項４】
前記電気電子部品の底面に複数の前記コネクタを並列に嵌合しており、
前記コネクタカバーに設ける前記検知突起と電線ガイド突起とは各コネクタと対応させて複数並列に設け、
かつ、各検知突起は各コネクタハウジングの両側壁の下面に接触させる左右一対の突起を備えると共に、各検知突起の下方に設ける前記電線ガイド突起も左右一対の突起とし、  前記左右一対の検知突起及び電線ガイド突起の間を電線挿通空間として電線を挟み、電線ガイド突起の間の電線挿通空間は前記検知突起の間の電線挿通空間より狭くしている請求項１乃至請求項３のいずれか１項に記載の車載用の電気接続箱。
【請求項５】
前記電気接続箱はリレーボックスであり、該リレーボックスのケース本体内の収容部に挿入する前記電気電子部品はリレーモジュールからなる請求項１乃至請求項４のいずれか１項に記載の車載用の電気接続箱。
【発明の詳細な説明】
【技術分野】
【０００１】
本発明は車載用の電気接続箱に関し、詳しくは、車両に搭載するリレーボックス等の電気接続箱のケースに、基板収容のリレーモジュール等の電気電子部品を上方から挿入し、該電気電子部品の下端にコネクタを嵌合している電気接続箱において、該コネクタに接続する電線がケース内部で噛み込むのを防止すると共に、前記コネクタの嵌合状態を検知するものである。
【背景技術】
【０００２】
この種のリレーボックス等の電気接続箱に関して、特開２０１５−８５５６号公報において、図９（Ａ）（Ｂ）に示すように、リレーボックス１００にリレーモジュール１０１を嵌合する際に、リレーモジュール１０１の底面に嵌合するコネクタ１１０が半嵌合状態であると完全嵌合に矯正するために、リレーボックス１００の側壁内面から張出部１２０を突設し、該張出部１２０を半嵌合位置のコネクタ１１０に当接させて、完全に嵌合させるようにしている。
【先行技術文献】
【特許文献】
【０００３】
【特許文献１】特開２０１５−８５５６号公報
【発明の概要】
【発明が解決しようとする課題】
【０００４】
特許文献１に開示された電気接続箱では、リレーボックスに上方から挿入するリレーモジュールの底面に嵌合したコネクタが半嵌合状態であると、張出部に当接してコネクタが完全嵌合位置に押し上げられる。しかしながら、図１０に示すようにコネクタに接続した電線２００が張出部１２０とコネクタ１１０の間に噛み込みやすく、張出部１２０の上面を傾斜面としても噛み込みを確実に無くすことは困難である。
このように、電線の噛み込みが発生すると、リレーモジュールは所定位置より上方に位置ズレし、リレーモジュールとリレーボックスとに設けたロック結合部が完全にロックできず、リレーボックスとリレーモジュールとの組付作業に時間がかかる問題がある。
さらに、リレーモジュール１０１のハウジング内に収容している回路基板がリレーモジュールの上方からの押し込みで下方へ脱落する恐れもある。
【０００５】
本発明は前記問題に鑑みてなされたもので、コネクタが本嵌合か半嵌合かを検知でき、かつ、リレーモジュール等の電気電子部品内の回路基板の脱落を防止でき、該脱落防止部を設けてもコネクタから伸びる電線が広がって噛み込みを発生させない車載用の電気接続箱を提供することを課題としている。
【課題を解決するための手段】
【０００６】
前記課題を解決するため、本発明は、電気接続箱のケース本体の上下開口の収容部内に上方から電気電子部品が挿入固定され、該電気電子部品のハウジングの底面のコネクタ嵌合部に電線を接続したコネクタが嵌合される車載用の電気接続箱であって、
前記電気電子部品は電線の配線方向と平行方向または直交方向から前記ハウジング外面に移動させて固定する係止手段を有するコネクタカバーを備え、
前記コネクタカバーは半嵌合位置の前記コネクタと接すると前記係止手段でハウジング外面に係止できない検知突起と、該検知突起の下部に前記コネクタに接続している電線を挟む電線ガイド突起を備えていることを特徴とする車載用の電気接続箱を提供している。
【０００７】
前記電気電子部品の収容部を囲む壁の対向位置に受板部を突設しており、前記電気電子部品のハウジング内に収容する回路基板の脱落防止用としている。
【０００８】
前記コネクタカバーは前記電気電子部品のハウンジグに対して、コネクタ嵌合方向の下方から該ハウンジグの裏面または表面に沿って電線配線方向と平行にスライドさせて取り付けるものとし、または前記電線配線方向と直交する方向から前記ハウンジグの裏面または表面に近接させて取り付けるものとしている。
【０００９】
前記電気電子部品の底面に複数の前記コネクタを並列に嵌合しており、
前記コネクタカバーに設ける前記検知突起と電線ガイド突起とは各コネクタと対応させて複数並列に設け、
かつ、各検知突起は各コネクタハウジングの両側壁の下面に接触させる左右一対の突起を備えると共に、各検知突起の下方に設ける前記電線ガイド突起も左右一対の突起とし、  前記左右一対の検知突起及び電線ガイド突起の間を電線挿通空間として電線を挟み、電線ガイド突起の間の電線挿通空間は前記検知突起の間の電線挿通空間より狭くしている。
【００１０】
前記電気接続箱はリレーボックスであり、該リレーボックスのケース本体内の収容部に挿入する前記電気電子部品はリレーモジュールからなる場合に、特に好適に用いられる。
【発明の効果】
【００１１】
本発明の車載用の電気接続箱は、該電気接続箱のケース本体の収容部に挿入するリレーモジュール等の電気電子部品が電線端末に接続したコネクタを嵌合している場合、検知突起と電線ガイド突起を備えているコネクタカバーを用いている。該コネクタカバーによりコネクタが半嵌合か本嵌合かを検知できると共に、コネクタに接続している電線が広がらないように集め、電線の噛み込みを防止できる。
かつ、電気電子部品内に収容する回路基板が下方へ移動しても受け止める受板部を収容部を囲む壁から突設しているため、該回路基板の脱落を防止できる。かつ、該受板部と電気電子部品との隙間にコネクタから伸びる電線が噛み込むのを前記コネクタカバーの電線ガイド突起で電線を挟むことにより防止できる。
【図面の簡単な説明】
【００１２】
【図１】本発明の第一実施形態を示し、（Ａ）はリレーボックスの概略分解斜視図、（Ｂ）はリレーモジュールに嵌合する電線端末のコネクタを示す斜視図である。
【図２】リレーボックスのケース本体にリレーモジュールを収容した状態の断面図である。
【図３】（Ａ）はリレーモジュールに嵌合したコネクタが本嵌合された状態を示す図面、（Ｂ）はコネクタが半嵌合の状態を示す図面である。
【図４】リレーモジュールとコネクタに被せるコネクタカバーを示し、（Ａ）は正面図、（Ｂ）は（Ａ）のＢ−Ｂ線断面図、（Ｃ）は要部斜視図である。
【図５】本嵌合しているコネクタとリレーモジュールにコネクタカバーを取り付けた状態を示し、（Ａ）は正面図、（Ｂ）は要部斜視図である。
【図６】半嵌合しているコネクタとリレーモジュールにコネクタカバーを取り付けた状態を示し、（Ａ）は正面図、（Ｂ）は要部断面図である。
【図７】コネクタを接続したリレーモジュールを収容部に収容した状態の要部正面図である。
【図８】本発明の第二実施形態を示し、（Ａ）はリレーモジュールにコネクタカバーを取り付ける方向を示す側面図、（Ｂ）はコネクタカバーの正面図、（Ｃ）はリレーモジュールをケース本体に収容した状態の正面図である。
【図９】（Ａ）、（Ｂ）は従来例を示す概略断面図である。
【図１０】前記従来例の問題点を示す概略断面図である。
【発明を実施するための形態】
【００１３】
以下、本発明を図面に示す実施形態を参照して詳述する。
図１乃至図７に本発明の第一実施形態を示す。
第一実施形態の車載用の電気接続箱は自動車に搭載されるリレーボックス１であり、該リレーボックス１は上下開口のケース本体２内に上方からリレーモジュール３とヒューズブロック４とからなる電気電子部品を挿入して収容した後、ケース本体２の下部にロアカバー５、上部にアッパーカバー６を結合して組み立てている。樹脂成形品からなるケース本体２は外周壁２ａの内部をリレーモジュール３の収容部２ｂとヒューズブロック４の収容部２ｃに仕切壁２ｗで仕切っている。
【００１４】
リレーモジュール３は、収容部２ｂに収容する縦長な直方体形状のハウジング１０内に、基板リレーを実装した回路基板１１を収納しており、該回路基板１１の３つの基板リレーに接続する３つのコネクタ１５（１５Ａ、１５Ｂ、１５Ｃ）を嵌合するコネクタ嵌合部１２（１２Ａ、１２Ｂ、１２Ｃ）を設け、ハウジング１０の下面に並列に露出させている。これら３つのコネクタ嵌合部１２に、複数の電線３０の端末に接続した３個の同形の前記コネクタ１５をそれぞれ嵌合して、回路基板１１を介して基板リレーと電線３０を接続している。
【００１５】
このように、リレーモジュール３はハウジング１０の底面に３つのコネクタ１５を並列に嵌合した状態で、リレーボックス１のケース本体２に上面開口から挿入し、ハウジング１０の外面に設けたロック枠１０ｒがケース本体２の外周壁２ａの内面と仕切壁２Ｗの対向側面に設けたロック爪（図示せず）と係止して、収容部２ｂにリレーモジュール３を固定している。其の際、上方からケース本体２内に押し込まれるリレーモジュール３内の回路基板１１が下向き荷重でハウジング１０から落下させないため、図２に示すように、ケース本体２の外周壁２ａの内面と仕切壁２Ｗの対向側面に受板部２ｒ１、２ｒ２を突出し、脱落してくる回路基板１１の両側下端面を支持できるようにしている。
【００１６】
リレーモジュール３のコネクタ嵌合部１２にコネクタ１５が完全に嵌合されている本嵌合状態であることを確認した後に、リレーモジュール３をケース本体２内に挿入する必要がある。
前記のように、ケース本体２に受板部２ｒ１、２ｒ２を設けると、リレーモジュール３を上方から収容部２ｂに押し込んだ際に回路基板１１が落下するのを防止できるが、コネクタ１５から下方に伸びる電線３０がハウジング１０の底面と受板部２ｒ１、２ｒ２の隙間Ｃに噛み込む恐れがある。電線が噛み込むとリレーモジュール３が収容部２ｂ内で正規位置まで挿入されず、リレーモジュール３とケース本体２とのロック係止が出来なくなる問題が発生する。
【００１７】
リレーモジュール３のコネクタ嵌合部１２へのコネクタ１５の嵌合状態を検知すると共に、ケース本体２の受板部２ｒ１、２ｒ２上に電線３０が噛み込むのを防止するために、本発明では、図４〜図７に示す可動式のコネクタカバー２０を設けている。該コネクタカバー２０は、リレーモジュール３の底面に、電線３０を接続したコネクタ１５を嵌合した状態で、リレーモジュール３に下方から上向き（図５中の矢印Ｚ１方向）にハウジング１０の外面に沿わせてスライドさせ、取り付けるものである。
【００１８】
コネクタカバー２０はハウジング１０の背面側の外面と同幅の支持板２１を備え、該支持板２１の左右両側から前方に屈折させた後に上向きに延在する左右一対のアーム２２を設け、各アーム２２の上端に対向させて係止爪２３を設けている。支持板２１の表面には左右方向に間隔をあけた三ケ所に検知突起２４（２４Ａ、２４Ｂ、２４Ｃ）を設けている。各検知突起２４は左右一対の突起２４ｖ、２４ｗからなり、突起２４ｖ、２４ｗに挟まれた空間はコネクタ１５に接続する電線３０の電線挿通空間Ｓ１としている。各検知突起２４では、図４（Ｃ）に示すように、コネクタ１５の後側上部を囲むコ字枠部２６を設け、該コ字枠部２６の両側下部に前側および内側に突出するように突起２４ｖ、２４ｗを設けている。
【００１９】
検知突起２４（２４Ａ、２４Ｂ、２４Ｃ）の三ケ所の設置位置は、ハウジング１０の下端面で左右に並列する３つのコネクタ１５（１５Ａ、１５Ｂ、１５Ｃ）の位置と対応する。かつ、設置高さはハウジング１０の下端に嵌合したコネクタ１５が半嵌合ではなく、完全に嵌合した本嵌合位置である時に、コネクタ１５のコネクタハウジングの下面に検知突起２４の上面が接触する位置とし、コネクタカバー２０がリレーモジュール３に対して正規位置に配置されるものとしている。よって、３つのコネクタ１５が本嵌合されていると、コネクタカバー２０を下方より上方へ矢印Ｚ１方向へスライドさせていくと、左右のアーム２２の上端の係止爪２３が、ハウジング１０の側面の対向位置に設けた係止凹部２７に係止し、コネクタカバー２０がハウジング１０に固定できるものとしている。即ち、係止爪２３と係止凹部２７をコネクタカバー２０とハウジング１０との係止手段としている。  
【００２０】
即ち、コネクタ１５が半嵌合ではなく、本嵌合であると、図３（Ａ）に示すように、寸法Ｌ１でハウジング１０の下端の底面１０ｂよりコネクタ１５が突出する。一方、コネクタ嵌合部１２にコネクタ１５が完全に嵌合されていない半嵌合状態であると、図３（Ｂ）に示すように、寸法Ｌ１より大きな寸法Ｌ２でハウジング１０の底面１０ｂよりコネクタ１５が突出する。この半嵌合状態のコネクタ１５のコネクタハウジングの下面に検知突起２４が接触すると、コネクタカバー２０はリレーモジュール３の正規位置より下方に位置することになる。よって、アーム２２の上端の係止爪２３が、ハウジング１０の係止凹部２７に係止せず、コネクタカバー２０がハウジング１０に固定できず、コネクタ１５が半嵌合であることが検知できるものとしている。
【００２１】
３つの検知突起２４の下方にそれぞれ電線ガイド突起２５（２５Ａ、２５Ｂ、２５Ｃ）を設けている。各電線ガイド突起２５も電線挿通空間Ｓ２をあけた左右一対の突起２５ｖ、２５ｗを備えている。該電線挿通空間Ｓ２は検知突起２４側の電線挿通空間Ｓ１より幅狭とし、コネクタ１５に接続している電線３０を次第に幅狭に集め、電線が広がって前記ハウジング１０の底面と受板部２ｒ１、２ｒ２の隙間Ｃに噛み込むのを確実に防止している。
【００２２】
前記のように、本発明では、電線３０の端末に接続したコネクタ１５をリレーモジュール３のハウジング１０の下端底面のコネクタ嵌合部１２に嵌合している状態で、リレーモジュール３をリレーボックス１のケース本体２に上方から挿入する前に、コネクタカバー２０をリレーモジュール３の下方に取り付けている。即ち、電線３０を電線ガイド突起２５の電線挿通空間Ｓ２、検知突起２４の電線挿通空間Ｓ１の間に通しながら、電線３０の長さ方向で上方へとスライドさせていく。検知突起２４の上面がコネクタ１５のコネクタハウジングの左右両側壁の下面に接触した時点でコネクタカバー２０のスライドを止める。
【００２３】
この位置で左右両側で上向きに突出するアーム２２の上端の係止爪２３がリレーモジュール３のハウジング１０の係止凹部２７に係止すると、コネクタ１５が完全に嵌合された位置にあり、本嵌合と検知できる。一方、係止爪２３が係止凹部２７に係止できないと、コネクタ１５が半嵌合であると検知できる。これにより、リレーモジュール３をケース本体２に挿入前にコネクタ１５を再度押し込んで本嵌合させることができる。
【００２４】
このように、電線３０を接続しているコネクタ１５をリレーモジュール３のハウジング１０に本嵌合した状態でケース本体２の収容部２ｂに挿入すると、図７に示すように、検知突起２４とガイド突起２５の電線挿通空間Ｓ１、Ｓ２で集束された電線３０は広がることはない。よって、両側の受板部２ｒ１、２ｒ２とハウジング１０の間の隙間Ｃに電線が噛み込むことなく、下方へ引き出すことができる。かつ、リレーモジュール３内の回路基板１１が上方からの押し込みで下方へ脱落しそうになっても受板部２ｒ１、２ｒ２で受け止めることができる。かつ、コネクタ１５が正規位置に嵌合されているハウジング１０はケース本体２内で、ハウジング１０のロック枠１０ｒとケース本体２側のロック爪とをスムーズにロック結合できる。
【００２５】
前記のように、リレーモジュール３をケース本体２の収容部２ｂに挿入固定し、収容部２ｃにヒューズブロック４を挿入固定した後、ロアカバー５、アッパーカバー６をケース本体２にロック結合してリレーボックス１を組み立てている。
ケース本体２の収容部２ｂに収容するリレーモジュール３は、その底面に嵌合したコネクタ１５から下方へ引き出される電線３０を収容部２ｂの下端開口から引き出し、ケース本体２の下面に取り付けるロアカバー５に設けたワイヤハーネス挿通口から外部に引き出している。
【００２６】
前記第一実施形態では、リレーモジュール３に電線を接続しているコネクタ１５を嵌合している状態で、リレーモジュール３のハウジング１０の背面に沿わせて、コネクタカバー２０を下方からスライドさせて移動していくだけで、コネクタ１５の半嵌合を検知でき、かつ、コネクタ１５に連続して下方に伸びる電線３０を広がらないように集めることができる。よって、該リレーモジュール３をリレーボックス１のケース本体２の収容部２ｂの所定位置に電線３０の噛み込みを発生させずに、スムーズに挿入させてロック固定できる。
【００２７】
図８（Ａ）〜（Ｃ）に第二実施形態を示す。
第二実施形態はコネクタカバー２０−Ｂの移動方向を第一実施形態と直交方向の矢印Ｚ２とする点が相違している。即ち、リレーモジュール３のコネクタ嵌合部１２に嵌合するコネクタ１５の電線３０の長さ方向に添わすのではなく、長さ方向と直交する後方から前方（矢印Ｚ１と直交方向）へとコネクタカバー２０−Ｂを移動させて、リレーモジュール３のハウジング１０に近接させるものである。
【００２８】
コネクタカバー２０−Ｂは、第一実施形態より縦長な支持板２１を備え、該支持板２１の上部の左右両側端に係止爪２３を突設している。
また、該支持板２１の下部前面（表面）には、第一実施形態と同様に、左右方向に間隔をあけた三ケ所に検知突起２４（２４Ａ、２４Ｂ、２４Ｃ）を設けている。各検知突起２４は左右一対のガイド突起２４ｖ、２４ｗからなり、突起２４ｖ、２４ｗに挟まれた空間はコネクタ１５に接続する電線３０の挿通空間としている。
さらに、３つの検知突起２４の下方にそれぞれ電線ガイド突起２５を設け、各電線ガイド突起２５も電線挿通空間をあけた左右一対の突起を備えている。
【００２９】
検知突起２４、電線ガイド突起２５を備えたコネクタカバー２０−Ｂの作用は第一実施形態と同様であり、検知突起２４の上面をコネクタ１５のコネクタハウジングの下面に接触させた状態で、係止爪２３がリレーモジュールのハウジング１０の係止凹部２７に係止出来なければ、コネクタ１５は半嵌合と検知でき、係止できると本嵌合と検知できる。
他の作用効果は第一実施形態と同様であるため、説明を省略する。
【００３０】
前記第一、第二実施形態はリレーボックスのケース本体に設けた収容部に、電線をコネクタ接続したリレーモジュール３を挿入する場合に採用しているが、該形態に限定されず、機器にコネクタ接続した電気電子部品のコネクタ嵌合状態を検知する場合および該電気電子部品の電線が広がらないようにして電線の噛み込みを予防する必要がある場合に好適に用いられるものである。
【符号の説明】
【００３１】
１  リレーボックス
２  ケース本体
２ａ  外周壁
２ｂ、２ｃ  収容部
２ｗ  仕切壁
２ｒ１、２ｒ２  受板部
３  リレーモジュール
４  ヒューズブロック
５  ロアカバー  
６  アッパーカバー
１０  ハウジング
１１  回路基板
１２  コネクタ嵌合部
１５（１５Ａ、１５Ｂ、１５Ｃ）  コネクタ
２０、２０−Ｂ  コネクタカバー  
２１  支持板
２３  係止爪
２４  検知突起
２５  電線ガイド突起
３０  電線
Ｓ１、Ｓ２  電線挿通空間
【図１】
2018206540.tif 000003
【図２】
2018206540.tif 000004
【図３】
2018206540.tif 000005
【図４】
2018206540.tif 000006
【図５】
2018206540.tif 000007
【図６】
2018206540.tif 000008
【図７】
2018206540.tif 000009
【図８】
2018206540.tif 000010
【図９】
2018206540.tif 000011
【図１０】
2018206540.tif 000012